(57)【要約】      （修正有）【課題】乳幼児が起きてしまうことを防ぎ、尚かつ自然な体勢で寝かしつけることを可能とする乳幼児寝かしつけ器具を提供する。【解決手段】少なくとも一対の対向するフレームがアーチ状に変形可能で、フレーム間には布等のカバーが設けられる。これを乳幼児の後頭部に添えた腕に装着して寝かしつけを行う。【選択図】図１
0003175803.tif 000002
【実用新案登録請求の範囲】
【請求項１】
直線状、アーチ状と自由に変形可能な、少なくとも一対の対向するフレームと、当該対向フレーム間を覆うように設けられたカバーを有し、当該フレーム間のカバー部分に乳幼児の頭部を乗せて用いることを特徴とする、乳幼児寝かしつけ器具。
【請求項２】
コの字型のフレームを有し、更に当該コの字型フレームの対向する一対のフレームが直線状、アーチ状と自由に変形可能であり、対向しないフレームについては、少なくとも一箇所で屈曲可能であることを特徴とする、請求項１記載の乳幼児寝かしつけ器具。
【請求項３】
本器具に音源を再生するための装置が内蔵されており、外部から選択的に音声再生が可能であることを特徴とする請求項１、請求項２記載の乳幼児寝かしつけ器具。
【考案の詳細な説明】
【技術分野】
【０００１】  本考案は、腕に抱えた状態で眠った乳幼児が、寝具に下ろされた際に周囲の環境変化に気づいて目覚めることを防止し、比較的簡単に楽な姿勢で乳幼児を寝具の上に寝かしつけるための乳幼児寝かしつけ器具に関するものである。
【背景技術】
【０００２】  従来、腕に抱えた乳幼児を眠ったまま寝具に降ろして寝かしつけるための器具が提案されてきたが、＜特許文献１＞のような構成の場合、腕を引き抜く際に乳幼児の頭の高さが急に変化してしまうため、乳幼児が異変に気づいて起きてしまう場合がある、また、＜特許文献２＞、＜特許文献３＞の場合、枕や寝具側に溝を設けるなど特殊な加工が必要なため使用が限られてしまうといった課題があった。
【先行技術文献】
【特許文献】
【０００３】
【特許文献１】実用新案登録第３１３４７８０号公報
【特許文献２】特開２００７−２２９４１２号公報
【特許文献３】特開２０１０−１６２３０６号公報
【考案の概要】
【考案が解決しようとする課題】
【０００４】  乳幼児を寝かしつける際、乳幼児を腕に抱えた状態から寝具の上に降ろして後頭部に添えた腕を引き抜く必要がある。このとき、乳幼児の眠りが浅いと、頭部の高さや周囲の状況が大きく変化するため、せっかく眠っていた乳幼児が異変に気づいて起きてしまうという課題があった。
【課題を解決するための手段】
【０００５】  乳幼児を腕に抱えて寝かしつける際に、少なくとも一部の対向するフレームがアーチ状に変形可能で、本フレーム間には布等のカバーが設けられた器具を乳幼児の後頭部に添えた腕に装着する。このときフレームの一部は、腕周りの湾曲に合わせてアーチ状に変形させた状態で用いる。【０００６】  その後、乳幼児を寝具の上に降ろし、本器具は乳幼児の頭部の下に残したまま、腕だけをゆっくりと引き抜く。さらにその後、アーチ状に変形させたフレームを徐々に真っ直ぐに伸ばして戻し、寝具の形状が平らになるようにする。
【考案の効果】
【０００７】  本考案の器具によれば、乳幼児を寝具の上に降ろした際に、アーチ状のフレーム間にあるカバー部分が乳幼児の頭を浮かせた状態で支えるため、乳幼児に大きな振動を与えることなく腕を引き抜くことが可能である。さらに腕を引き抜いても乳幼児の頭部の高さは器具が無い場合と比べて急激には変化しない。さらに両側のアーチ状のフレームが柱となって頭部が包まれる状態となることで、腕に抱かれているのと近い状況が作りだされる。その結果、乳幼児は自分が寝具の上に下ろされたことに気がつかずに眠ったままとなる。【０００８】  さらに、本器具のアーチ状に変形させたフレームは自由に伸ばすことが可能であり、乳幼児を寝具に寝かせたあと、ゆっくりと真っ直ぐに伸ばすことで、乳幼児に気づかれずに平らな状態に戻して、体に負担のかからない楽な姿勢で眠らせることが可能である。【０００９】  本考案の乳幼児寝かしつけ器具を用いれば、腕に抱えた状態で眠った乳幼児が寝具の上に下ろされる際に目覚めてしまう確率を大幅に低減することができ、寝かしつけを行う母親らの肉体的、精神的疲労を緩和することが可能である。
【図面の簡単な説明】
【００１０】
【図１】フレームをアーチ状に変形させた乳幼児寝かしつけ器具の斜視図である。
【図２】フレームを真っ直ぐにした乳幼児寝かしつけ器具の上面図である。
【図３】乳幼児寝かしつけ器具の使用状態。腕に乳幼児を抱きかかえた状態図。
【図４】乳幼児寝かしつけ器具の使用状態。乳幼児を寝具に降ろした状態図。
【図５】乳幼児寝かしつけ器具の使用状態。腕を引き抜く状態図。
【図６】乳幼児寝かしつけ器具の使用状態。フレームを真っ直ぐにした後の状態図。
【考案を実施するための形態】
【００１１】  本考案の乳幼児寝かしつけ器具を図面によって説明する。図２は、フレーム１を伸ばした状態の乳幼児寝かしつけ器具を上面から見た図である。フレーム１は対向する一対の構成であり、自由に変形が可能である。さらに、その周囲は乳幼児が当たっても違和感を与えないように、綿などの緩衝材３で保護されている。
【００１２】  またフレーム間は布等のカバー２が設けられており、この部分に乳幼児の頭部を乗せることができるようになっている。対向するフレーム同士は、そのままコの字状に繋がっており、対向しない部分のフレームについては、添え木となる部材４などを設けて自由に変形しすぎないようにしても良い。但し、実際に使用に当たっては、腕の関節が曲がるのに合わせて少なくとも一箇所は変形可能な関節部を有することが望ましい。
【００１３】  図１は、対向するフレーム１をアーチ状に変形させた状態の斜視図を示す。フレーム１は自由に変形させることができるため、腕の湾曲に合わせてアーチ状に形を変えて、腕に装着させることが可能である。この状態で乳幼児を抱きかかえると、ちょうどカバー２の部分に乳幼児の頭部が乗る構成になる。
【００１４】  図３のように抱きかかえた状態で眠りについた乳幼児をそのまま寝具の上に降ろし（図４）、乳幼児の後頭部に添えた腕は、乳幼児寝かしつけ器具の下からそっと引き抜く（図５）。このとき、フレーム１とカバー２がアーチ状の形状を保つため、乳幼児の頭部に衝撃や振動、高さの変化などをあまり感じさせずに腕を引き抜くことが可能である。またフレーム１がアーチ状の柱のように両端で立つため、乳幼児の頭部を包みこみ、腕に抱かれているのと似た感触を乳幼児に与える状況となる。
【００１５】  さらに、腕を引き抜くのに成功したあとは、アーチ状のフレームをゆっくりとまっすぐに伸ばすことで、乳幼児の体に負担を与えない姿勢で寝かしつけることが可能である（図６）。
【００１６】  このとき乳幼児寝かしつけ器具と、乳幼児の頭部の間には適宜タオルなどを挟むことで、汗、汚れなどが直接乳幼児寝かしつけ器具につかないようにしても良い。さらに、カバー部２には乳幼児の頭部を安定的に乗せるためのクッション形状を備えていても良い。
【００１７】  また、乳幼児はビニールをクシャクシャする音や心音などを聞いていると安心して眠る傾向にあるため、本器具に音声再生装置を内蔵し、外部に設けられたスイッチで複数種類の音源の中から選んで再生可能な構成にしてもよい。こうすることで、寝かしつけの際、乳幼児の意識が音の方に向かい、寝具上に降ろした際に目覚めることをより防ぐことが可能になる。
【産業上の利用可能性】
【００１８】  本考案に係る乳幼児寝かしつけ器具を用いれば、乳幼児を寝かしつけるための精神的、肉体的労力を低減することが可能である。
【符号の説明】
【００１９】  １  アーチ状に形状可変なフレーム
２  布などのカバー
３  綿などの緩衝材
４  添え木などフレーム補強具
５  変形可能な関節部
６  本出願に係る乳幼児寝かしつけ器具
７  乳幼児
８  寝かしつける人の腕
９  寝具
【図１】
0003175803.tif 000003
【図２】
0003175803.tif 000004
【図３】
0003175803.tif 000005
【図４】
0003175803.tif 000006
【図５】
0003175803.tif 000007
【図６】
0003175803.tif 000008